(57)【特許請求の範囲】
【請求項１】
ガラス基板と、
前記ガラス基板に設置された二つ又は二つ以上の駆動回路と、
定電流源であって、各駆動回路に定電流を提供するように前記二つ又は二つ以上の駆動回路が前記定電流源に接続された同一の配線に接続されており、前記定電流源は前記二つ又は二つ以上の駆動回路から独立するように前記各駆動回路の外に位置している、定電流源と、
前記各駆動回路に設置されて、前記定電流源から受信された定電流を電圧信号に変換して前記電圧信号をゲート線またはデータ線に出力する変換回路とを備える
ガラスチップ型液晶ディスプレイ。
【請求項２】
前記各駆動回路の前記変換回路が前記同一の配線に接続される
請求項１記載のガラスチップ型液晶ディスプレイ。
【請求項３】
前記各駆動回路はソース電極駆動回路である
請求項１記載のガラスチップ型液晶ディスプレイ。
【請求項４】
二つ又は二つ以上の前記ソース電極駆動回路によって第一回路が構成され、
前記第一回路において、前記定電流源に接続されるソース電極駆動回路の変換回路の入力端は前記定電流源に接続され、前記定電流源に接続されたソース電極駆動回路を除いて、他のソース電極駆動回路の変換回路の入力端は前記第一回路で隣接する上流のソース電極駆動回路の変換回路の入力端に接続される
請求項３記載のガラスチップ型液晶ディスプレイ。
【請求項５】
前記各駆動回路はゲート電極駆動回路である
請求項１記載のガラスチップ型液晶ディスプレイ。
【請求項６】
二つ又は二つ以上の前記ゲート電極駆動回路によって第二回路が構成され、
前記第二回路において、前記定電流源に接続されるゲート電極駆動回路の変換回路の入力端は前記定電流源に接続され、前記定電流源に接続されたゲート電極駆動回路を除いて、他のゲート電極駆動回路の変換回路の入力端は前記第二回路で隣接する上流のゲート電極駆動回路の変換回路の入力端に接続される
請求項５記載のガラスチップ型液晶ディスプレイ。
【請求項７】
前記変換回路は、
定電流を受信する入力端と、
一端は前記入力端に接続され、他端は接地される電気抵抗と、
前記入力端に接続される前記電気抵抗の一端と前記入力端とに接続されて、電圧信号を出力する出力端とを備える
請求項１記載のガラスチップ型液晶ディスプレイ。
【請求項８】
前記各駆動回路はソース電極駆動回路である
請求項７記載のガラスチップ型液晶ディスプレイ。
【請求項９】
二つ又は二つ以上の前記ソース電極駆動回路によって第一回路が構成され、
前記第一回路において、前記定電流源に接続されるソース電極駆動回路の変換回路の入力端は前記定電流源に接続され、前記定電流源に接続されたソース電極駆動回路を除いて、他のソース電極駆動回路の変換回路の入力端は前記第一回路で隣接する上流のソース電極駆動回路の変換回路の入力端に接続される
請求項８記載のガラスチップ型液晶ディスプレイ。
【請求項１０】
前記各駆動回路はゲート電極駆動回路である
請求項７記載のガラスチップ型液晶ディスプレイ。
【請求項１１】
二つ又は二つ以上の前記ゲート電極駆動回路によって第二回路が構成され、
前記第二回路において、前記定電流源に接続されるゲート電極駆動回路の変換回路の入力端は前記定電流源に接続され、前記定電流源に接続されたゲート電極駆動回路を除いて、他のゲート電極駆動回路の変換回路の入力端は前記第二回路で隣接する上流のゲート電極駆動回路の変換回路の入力端に接続される
請求項１０記載のガラスチップ型液晶ディスプレイ。
【請求項１２】
前記定電流源はフレキシブル基板によって、前記同一の配線に接続される
請求項１記載のガラスチップ型液晶ディスプレイ。
【請求項１３】
前記定電流源はプリント基板に設置される
請求項１記載のガラスチップ型液晶ディスプレイ。
【請求項１４】
前記駆動回路は溶接によって前記ガラス基板に設置される
請求項１記載のガラスチップ型液晶ディスプレイ。
【請求項１５】
前記駆動回路は金属ペーストによって前記ガラス基板に設置される
請求項１記載のガラスチップ型液晶ディスプレイ。
【発明の詳細な説明】
【技術分野】
【０００１】
本発明は、ガラスチップ型液晶ディスプレイに関する。
【背景技術】
【０００２】
液晶ディスプレイのアレイ基板には複数のゲート線と複数のデータ線があり、上述の複数のゲート線はゲート電極駆動回路によって駆動信号が提供され、上述の複数のデータ線はソース電極駆動回路によって駆動信号が提供される。ゲート電極駆動回路とソース電極駆動回路は一般的に集積回路（Integrated Circuit、IC）からなるものであるため、ゲート電極駆動回路とソース電極駆動回路はそれぞれゲート電極駆動ICとソース電極駆動ICとも呼ばれることもある。
【０００３】
ゲート電極駆動回路とソース電極駆動回路の配置方法には二種類があり、一つの方法はフィルムの上に駆動回路が配置されるCOF（Chip on Film）型構造で、もう一つの方法は直接にガラス基板に駆動回路が配置されるCOG（Chip on Glass）型構造である。この文章では、COG型の液晶ディスプレイをガラスチップ型（chip-on-glass base type）液晶ディスプレイと呼ぶ。
【０００４】
図1は従来のCOF型液晶ディスプレイの構造の概略図である。フレキシブル基板（FPC）1によってプリント基板（PCB）2とガラス基板3が接続され、チップ4はこのFPC1に設置されている。
【０００５】
図2は従来のガラスチップ型液晶ディスプレイの構造の概略図である。FPC1によってPCB2とガラス基板3が接続され、チップ4はこのFPC1に設置されている。図1と図2に示すチップはゲート電極駆動回路とソース電極駆動回路であり、例えばガラス基板のX方向（即ち、図1での水平方向）に沿って配置されているチップ４はソース電極駆動回路であり、ガラス基板のY方向（即ち、図1での垂直方向）に沿って配置されているチップ4はゲート電極駆動回路である。
【０００６】
図2に示すような液晶ディスプレイにおいて、PCB2はFPC1によって各チップ4に駆動電圧を提供する。例えばソース電極駆動回路において、各ソース電極駆動回路は一つの直列回路になるように直列接続されるため、FPC1に接続されるあるソース電極駆動回路に電圧信号が受信された後、この電圧信号は前記ソース電極駆動回路に隣接する下流のソース電極駆動回路に出力される。各ソース電極駆動回路はガラス基板3に設置されたパネル配線5によって接続されるが、このパネル配線5はアレイ基板に設置された回路（Wire on Array、WOA）であり、ある程度の電気抵抗を持っている。電圧信号があるソース電極駆動回路から隣接する下流のソース電極駆動回路へ伝送される際に、パネル配線5の存在のため、隣接する下流のソース電極駆動回路に入力する電圧信号の電圧値が減少する。そして、電圧信号が直列回路の他の各ソース電極駆動回路に伝送されるに従って、電圧信号の電圧値が次第に減少するため、端末の一つ又は複数のソース電極駆動回路に伝送される電圧信号の電圧値が所定値に達することができなくなり、ソース電極駆動回路が作業するための正常な駆動ができない恐れがある。
【０００７】
同様に、各ゲート電極駆動回路も直列回路になるように直列接続され、FPC1に接続される。あるゲート電極駆動回路に電圧信号が受信された後、この電圧信号は前記ゲート電極駆動回路に隣接する下流のゲート電極駆動回路に出力されるため、ゲート電極駆動回にも前記のような問題がある。
【発明の概要】
【課題を解決するための手段】
【０００８】
本発明の実施形態は、ガラス基板と、前記ガラス基板に設置されて、且つ相互に直列接続される二つ又は二つ以上の駆動回路と、各駆動回路に定電流の信号を提供するように前記二つ又は二つ以上の駆動回路にそれぞれ少なくとも一つに接続される定電流源と、受信された定電流の信号を電圧信号に変換するために各駆動回路に設置される変換回路とを備えるガラスチップ型液晶ディスプレイを提供する。
【図面の簡単な説明】
【０００９】
本発明の実施形態又は従来の技術案をさらにはっきり説明するために、以下は、実施形態又は従来の技術の説明に必要な図面について簡単に説明する。明らかに、以下の図面は本発明の一部の実施形態であって、当業者であれば、困難さを伴わず、これらの図面によって他の図面に想到できる。
【００１０】
【図１】従来のCOF型液晶ディスプレイの構造の概略図である。
【図２】従来のガラスチップ型液晶ディスプレイの構造の概略図である。
【図３】本発明の実施形態によるガラスチップ型液晶ディスプレイの構造の概略図である。
【図４】本発明の実施形態によるガラスチップ型液晶ディスプレイの一例の構造の概略図である。
【図５】は、本発明の実施形態によるガラスチップ型液晶ディスプレイの他の一例の構造の概略図である。
【発明を実施するための形態】
【００１１】
以下は、本発明の目的、技術案およびメリットをもっと明確にするため、本発明の実施形態の添付図面に基づいて、本発明の実施形態の技術案について更に明確で完全に説明する。ただ、説明する実施形態は本発明の一部の実施形態だけで、全ての実施形態ではない。本発明の実施形態に基づいて、当業者は困難さを伴わず想到した全ての他の実施形態は本発明の保護範囲に属する。
【００１２】
図3は、本発明の実施形態によるガラスチップ型液晶ディスプレイの構造の概略図である。図3に示すように、この液晶ディスプレイは二つ又は二つ以上のソース電極駆動回路6と、二つ又は二つ以上のゲート電極駆動回路7を備える。ソース電極駆動回路6とゲート電極駆動回路7は駆動回路の一例として、ガラス基板3に設置されている。ガラス基板3はアレイ基板のベース基板である。例えば、ソース電極駆動回路6とゲート電極駆動回路7は溶接によってガラス基板3に設置されることができる。その他、金属ペーストによってソース電極駆動回路6とゲート電極駆動回路7をガラス基板3に設置しても結構である。各ソース電極駆動回路6と各ゲート電極駆動回路7はそれぞれ直列接続されている。本発明の実施形態において、各ソース電極駆動回路6からなる電気回路を例えば第一直列回路と呼び、各ゲート電極駆動回路7からなる電気回路を例えば第二直列回路と呼ぶ。この液晶ディスプレイには定電流源9をも含む。この定電流源9は各ソース電極駆動回路6と各ゲート電極駆動回路7に定電流の信号を提供するように、二つ又は二つ以上のソース電極駆動回路6とゲート電極駆動回路7の中でそれぞれ少なくとも一つに接続される。
【００１３】
図3に示すように、定電流源9はPCB2に設置される。ただ、この定電流源9は単独に設置されることもできるし、或はPCB2以外のサーキットボードに設置されることもできる。また、図3に示すように、定電流源9はFPC1によってゲート電極駆動回路とソース電極駆動回路に接続する。尚、定電流源9はゲート電極駆動回路とソース電極駆動回路に直接に接続されることもできるし、或はFPC1以外の媒介物によってゲート電極駆動回路とソース電極駆動回路に接続されることもできる。また、液晶ディスプレイには各ソース電極駆動回路6と各ゲート電極駆動回路7に設置される変換回路8をも含む。この変換回路8によって受信された定電流の信号を電圧信号に変換する。各ソース電極駆動回路6と各ゲート電極駆動回路7に設置された変換回路8はそれぞれ並列接続される。
【００１４】
図3において、ソース電極駆動回路6とゲート電極駆動回路7は定電流源9に接続されるとともに制御されているが、他の実施形態では両者の中の一つは定電流源9に接続されるとともに制御されるように接続し、もう一つは従来の接続方法で接続することができる。
本発明の実施形態による液晶ディスプレイと従来の液晶ディスプレイの区別とは、従来の液晶ディスプレイはある電圧信号を生じる装置によって各ソース電極駆動回路と各ゲート電極駆動回路に電圧信号を提供するが、本発明の実施形態においての液晶ディスプレイは定電流源と、各ソース電極駆動回路及び各ゲート電極駆動回路に設置された変換回路とを備え、この変換回路によって定電流の信号を電圧信号に変換することにより、各ソース電極駆動回路と各ゲート電極駆動回路に電圧信号を提供することである。
【００１５】
本発明の実施形態の液晶ディスプレイにおいて、定電流源は少なくとも一つのソース電極駆動回路と、少なくとも一つのゲート電極駆動回路に接続され、各ソース電極駆動回路の間と各ゲート電極駆動回路の間はそれぞれパネル配線で接続されて、各ソース電極駆動回路の間と各ゲート電極駆動回路の間に伝送されている信号は電圧信号ではなく電流信号であるため、電流信号はパネル配線の電気抵抗の影響を受けないので、各ソース電極駆動回路と各ゲート電極駆動回路に受信された電流信号の電流値は同様である。変換回路で受信された電流信号を電圧信号に変換して、電圧信号の電圧値を減少せず、各ソース電極駆動回路と各ゲート電極駆動回路に提供することができる。すると、パネル配線の寸法を高精度で加工する必要がないので、製造技術を簡略化することができる。
また、各ソース電極駆動回路と各ゲート電極駆動回路に変換回路を一つだけ設置して受信された定電流の信号を電圧信号に変換すればいいので、各駆動回路の間のパネル配線の寸法によって特別に変換電路を設計する必要がなく、製造技術を簡略化することができる。
【００１６】
本発明の実施形態の液晶ディスプレイにおいて、定電流源から各ソース電極駆動回路と各ゲート電極駆動回路に定電流の信号を提供するので、パネル配線が長くて内部の電圧降下が大きくなったとしても、各ソース電極駆動回路と各ゲート電極駆動回路に受信された電流信号の電流値に影響を及ぼさない。すると、パネル配線が長いための駆動回路のパワーロスと熱量の増加という問題がなくなるので、液晶ディスプレイの性能を向上させることができる。
【００１７】
また、従来の技術において、パネル配線で電圧信号を伝送する場合に、パネル配線の幅が細いとパネル配線の電気抵抗が大きくなり、パネル配線による電圧降下が大きくなるため、従来のパネル配線の幅は太いので占用する面積が大きくなる。本発明の実施形態においては、定電流の信号を伝送するパネル配線を狭くしても、各ソース電極駆動回路と各ゲート電極駆動回路に受信される電流信号も同様であるので、パネル配線が占有する面積を減少できる。
【００１８】
図4は、本発明の実施形態によるガラスチップ型液晶ディスプレイの一例の構造の概略図である。図4に示すように、この液晶ディスプレイにおいて、一例として各変換回路8は全て入力端81と、電気抵抗82と、出力端83とを備える。入力端81は定電流の信号を受信することに用いられる。電気抵抗82の一端は入力端81に接続され、他端は接地される。出力端83は、電気抵抗82の入力端81に接続される一端と、入力端81に接続されて、電圧信号を出力する。また、図4に示すように、定電流源9がPCB2に設置され、且つFPC1によってソース電極駆動回路とゲート電極駆動回路に接続される。ところで、図3と同様な場合として、本実施形態において、この定電流源9は単独に設置することもできるし、或はPCB2以外のサーキットボードに設置されて提供することもできる。そして、定電流源9は直接にゲート電極駆動回路とソース電極駆動回路に接続することもできるし、或はFPC1以外の媒介物によってゲート電極駆動回路とソース電極駆動回路に接続することもできる。
【００１９】
図4において、定電流源に接続されるソース電極駆動回路の中の変換回路の入力端は定電流源に接続される。定電流源に接続されたソース電極駆動回路を除いて、他のソース電極駆動回路の中の変換回路の入力端は第一直列回路で隣接する上流ソース電極駆動回路の変換回路の入力端に接続される。
【００２０】
同様に、定電流源に接続されるゲート電極駆動回路の変換回路の入力端は定電流源に接続される。定電流源に接続されたゲート電極駆動回路を除いて、他のゲート電極駆動回路の変換回路の入力端は第一直列回路で隣接する上流ゲート電極駆動回路の変換回路の入力端に接続される。
【００２１】
本発明の各実施形態において、直列回路の下流ソース電極駆動回路と上流ソース電極駆動回路については直列回路の電流信号の流れ方向に対して決められたものである。図4を一例として、各ソース電極駆動回路からなる第一直列回路の電流信号の流れ方向が矢印Aに従う場合は、あるソース電極駆動回路に隣接する下流ソース電極駆動回路とは、このソース電極駆動回路から出力された電流信号が流れ込む隣接するソース電極駆動回路を指している。第二直列回路において、下流ゲート電極駆動回路と上流ゲート電極駆動回路についても第一と同様であって電流の流れ方向によって定義される。
【００２２】
図4において、定電流源９はFPC1によってアレイ基板の最も右側のソース電極駆動回路に接続され、他の各ソース電極駆動回路は直列接続で最も右側のソース電極駆動回路に接続される。第一直列回路での定電流の信号の流れ方向は矢印Aに従う。
【００２３】
また、定電流源９はFPC1によってアレイ基板の最も上端のゲート電極駆動回路に接続され、他の各ゲート電極駆動回路は直列接続で最も上端のゲート電極駆動回路に接続される。図4において、第二直列回路での定電流の信号の流れ方向は矢印Bに従う。
【００２４】
図4において、定電流源9は一つのソース電極駆動回路と一つのゲート電極駆動回路にそれぞれ接続されるため、電流信号の流れ方向がAのような第一直列回路と、電流信号の流れ方向がBのような第二直列回路が構成される。
【００２５】
定電流源9が二つ又は二つ以上のソース電極駆動回路と二つ又は二つ以上のゲート電極駆動回路にそれぞれ接続されれば、二つ又は二つ以上の第一直列回路と第二直列回路を構成することができる。
【００２６】
図5は、本発明の実施形態によるガラスチップ型液晶ディスプレイの他の実施形態の構造の概略図である。説明を簡単にするため、この実施形態では六つだけのソース電極駆動回路と、三つだけのゲート電極駆動回路を並べている。六つのソース電極駆動回路には、第一ソース電極駆動回路21、第二ソース電極駆動回路22、第三ソース電極駆動回路23、第四ソース電極駆動回路24、第五ソース電極駆動回路25及び第六ソース電極駆動回路26が含まれる。三つのゲート電極駆動回路には、第一ゲート電極駆動回路31、第二ゲート電極駆動回路32及び第三ゲート電極駆動回路33が含まれる。この実施形態において、定電流源9はFPC1によって、アレイ基板中央部の二つのソース電極駆動回路、即ち、第三ソース電極駆動回路23と第四ソース電極駆動回路24にそれぞれ接続され、そして、最も上端のゲート電極駆動回路、即ち第一ゲート電極駆動回路31に接続される。また、図5に示すように、定電流源9がPCB2に設置され、且つFPC1によってソース電極駆動回路とゲート電極駆動回路に接続される。ただ、図3と類似であって、この実施形態において、定電流源9は単独に設置されることもできるし、或はPCB2以外のサーキットボードに設置されて提供されることもできる。そして、定電流源9は直接にゲート電極駆動回路とソース電極駆動回路に接続されることもできるし、或はFPC1以外の媒介物によってゲート電極駆動回路とソース電極駆動回路に接続されることもできる。
【００２７】
この実施形態で、第三ソース電極駆動回路23、第二ソース電極駆動回路22及び第一ソース電極駆動回路21で第一直列回路が構成され、この第一直列回路の電流信号の流れ方向は、第三ソース電極駆動回路23→第二ソース電極駆動回路22→第一ソース電極駆動回路21である。第三ソース電極駆動回路23の変換電路の入力端（図5では未図示）は定電流源9に接続され、第二ソース電極駆動回路22の入力端は第三ソース電極駆動回路23の変換電路の入力端に接続され、第一ソース電極駆動回路21の入力端は第二ソース電極駆動回路22の変換電路の入力端に接続される。
【００２８】
この実施形態で、第四ソース電極駆動回路24、第五ソース電極駆動回路25及び第六ソース電極駆動回路26で別の第一直列回路が構成され、この第一直列回路の電流信号の流れ方向は、第四ソース電極駆動回路24→第五ソース電極駆動回路25→第六ソース電極駆動回路26である。第四ソース電極駆動回路24の変換電路の入力端は定電流源9に接続され、第五ソース電極駆動回路25の入力端は第四ソース電極駆動回路24の変換電路の入力端に接続され、第六ソース電極駆動回路26の入力端は第五ソース電極駆動回路25の変換電路の入力端に接続される。
【００２９】
第一ゲート電極駆動回路31、第二ゲート電極駆動回路32及び第三ゲート電極駆動回路33で第二直列回路が構成され、この第二直列回路の電流信号の流れ方向は、第一ゲート電極駆動回路31→第二ゲート電極駆動回路32→第三ゲート電極駆動回路33である。第一ゲート電極駆動回路31の変換電路の入力端は定電流源9に接続され、第二ゲート電極駆動回路32の入力端は第一ゲート電極駆動回路31の変換電路の入力端に接続され、第三ゲート電極駆動回路33の入力端は第二ゲート電極駆動回路32の変換電路の入力端に接続される。
【００３０】
これによると、本発明の実施形態の液晶ディスプレイにおいて、二つ又は二つ以上のソース電極駆動回路によって少なくとも一つの第一直列回路が構成される。この少なくとも一つの第一直列回路において、定電流源に接続されるソース電極駆動回路の変換回路の入力端は定電流源に接続される。そして、定電流源に接続されたソース電極駆動回路を除いて、他のソース電極駆動回路の変換回路の入力端は第一直列回路で隣接する上流のソース電極駆動回路の変換回路の入力端に接続される。
同様に、二つ又は二つ以上のゲート電極駆動回路によって少なくとも一つの第二直列回路が構成される。この少なくとも一つの第二直列回路において、定電流源に接続されるゲート電極駆動回路の変換回路の入力端は定電流源に接続される。そして、定電流源に接続されたゲート電極駆動回路を除いて、他のゲート電極駆動回路の変換回路の入力端は第二直列回路で隣接する上流のゲート電極駆動回路の変換回路の入力端に接続される。
【００３１】
本発明の実施形態において、定電流源はFPC1に接続されて、FPC1は二つ又は二つ以上のソース電極駆動回路の中の少なくとも一つに、二つ又は二つ以上のゲート電極駆動回路の中の少なくとも一つに接続される。即ち、定電流源はFPC1によって少なくとも一つのソース電極駆動回路と、少なくとも一つのゲート電極駆動回路に接続される。また、FPCは例えば異方性導電接着剤によって、少なくとも一つのソース電極駆動回路と、少なくとも一つのゲート電極駆動回路に接続される。
【００３２】
本発明の実施形態において、各駆動回路の駆動電圧はあらかじめ確定でき、各変換回路の電気抵抗の値もそれぞれ等しい、等しくないに関らずあらかじめ確定できるので、各変換回路の電気抵抗を通った電流の値も確定できる。定電流源の電流値は各変換回路の電気抵抗を通った電流の値の総和であって、即ち定電流源の電流値は各駆動回路の駆動電圧と各駆動回路の電気抵抗との比の値の総和である。
本発明の実施形態において、液晶ディスプレイの構造の需要によって、定電流源はアナログ電流源、又はデジタル電流源を使用することができる
【００３３】
本発明の実施形態の液晶ディスプレイにおいて、定電流源は少なくとも一つのソース電極駆動回路と、少なくとも一つのゲート電極駆動回路に接続され、各ソース電極駆動回路の間と各ゲート電極駆動回路の間はそれぞれパネル配線で接続されて、各ソース電極駆動回路と各ゲート電極駆動回路に伝送されている信号は電圧信号ではなく電流信号であるため、電流信号はパネル配線の電気抵抗の影響を受けないので、各ソース電極駆動回路と各ゲート電極駆動回路に受信された電流信号の電流値は同じである。変換回路で入力された電流信号を電圧信号に変換するので、電圧信号の電圧値は減少されずに各ソース電極駆動回路と各ゲート電極駆動回路に提供される。そのため、パネル配線の寸法を高精度で加工する必要がないので、製造技術を簡略化することができる。
【００３４】
そして、変換回路に電気抵抗が含まれているため、この電気抵抗によって電流信号を電圧信号に変換して、製造技術を簡略化することができる。
【００３５】
また、各ソース電極駆動回路と各ゲート電極駆動回路に一つだけの変換回路を設置すれば、受信された定電流の信号を電圧信号に変換することができるため、各駆動回路の間のパネル配線の寸法によって特別に変換電路を設計する必要がないので、製造技術を簡略化することができる。
【００３６】
本発明の実施形態の液晶ディスプレイにおいて、定電流源から各ソース電極駆動回路と各ゲート電極駆動回路に定電流の信号を提供すると、パネル配線が長くて内部の電圧降下が増加しても、各ソース電極駆動回路と各ゲート電極駆動回路に受信された電流信号の電流値に影響を及ぼさない。すると、パネル配線が長いため駆動回路のパワーロスと熱量の増加という問題がなくなるので、液晶ディスプレイの性能を向上させることができる。
【００３７】
また、定電流の信号の伝送に用いられるパネル配線は従来のものより細く、パネル配線がする面積が減少される。
尚、前記実施形態は本発明の技術案を説明することのみに用い、それを限定するものではない。前記実施形態を参照して本発明について詳しく説明したが、当業者は以下のことを理解すべきである。即ち、前記各実施形態に記載された技術案について変更することができ、又はその中の一部の技術的特徴を入れ替えることができる。且つ、その変更又は入れ替えにおいて、その技術案の本質は本発明の各実施形態の技術案の要旨と範囲から逸脱されることはない。
【符号の説明】
【００３８】
１・・・フレキシブル基板（FPC）
２・・・プリント基板（PCB）
３・・・ガラス基板
５・・・パネル配線
６・・・ソース電極駆動回路
７・・・ゲート電極駆動回路
８・・・変換回路
９・・・定電流源
【図１】
0005990507.tif 000002
【図２】
0005990507.tif 000003
【図３】
0005990507.tif 000004
【図４】
0005990507.tif 000005
【図５】
0005990507.tif 000006